(57)【要約】      （修正有）【課題】扇風機等の家庭用の電気機器について、サイズや規格に関わらず埃、湿気等から確実に保護でき、しかも、容易、且つ、コンパクトに収納することができる電気機器用カバーを提供する。【解決手段】上記電気機器を収納可能な袋状に形成するとともに、開閉可能な開閉部４２を備えた電気機器用カバー１０であって、上端部を正面視湾曲形状に形成し、胴部に、当該カバー１０と上記電気機器との間隙を除去する胴部間隙除去手段を形成した電気機器用カバー１０。【選択図】図１
2005104511.tif 000002
【特許請求の範囲】
【請求項１】
家庭用の電気機器を収納可能な袋状に形成するとともに、開閉可能な開閉部を備えた電気器機用カバーであって、
上端部を正面視湾曲形状に形成し、
胴部に、当該カバーと上記電気機器との間隙を除去する胴部間隙除去手段を形成した
電気機器用カバー。
【請求項２】
前後方向へ伸縮可能とするまち部を側周部に形成し、
上記側周部のうち、左右両側部のまち部を側面視台形形状に形成した
請求項１に記載の電気機器用カバー。
【請求項３】
収納状態の前記電気機器を外側から可視可能な透明な窓部を、所定部位に形成した
請求項１、２に記載の電気機器用カバー。
【請求項４】
前記開閉部を前記上端部の前後いずれか一方の端部側に形成し、
上記開閉部の一方の口縁部に一方のスライドファスナを形成し、
上記開閉部の他方の口縁部に他方のスライドファスナを形成した
請求項１、２、又は３に記載の電気機器用カバー。
【発明の詳細な説明】
【技術分野】
【０００１】
この発明は、特に扇風機、電気ヒータ等の収納に優れた電気機器用カバーに関する。
【背景技術】
【０００２】
一般に、限られたシーズンのみ用いられる扇風機などの電気機器は、その使用シーズン以外のオフシーズンにおいては、押入れ等に保管されている。  
しかし、これらの電気器機はオフシーズンの間にそのままの状態で保管しておくと、ごみ、埃等が付着するため、改めて使用する際には、清掃に手間を要するばかりか故障の原因となる。
【０００３】
例えば、扇風機、電気ヒータ等の電気機器は、保護網等の形状が複雑であり、清掃にも手間を要する。表面の樹脂部材が白色のものは、汚れが浸含し、黒ずんでくるという問題点を有する。
【０００４】
そこで、例えば、扇風機をオフシーズンの間収納することができる扇風機の梱包装置が提案されている（特許文献１参照）。上記扇風機の梱包装置は、２分割された箱形状の発砲スチロールの外面に合成樹脂製のシート材を備えている。さらに、上記発砲スチロールの上面には、所定の凹部形状を形成している。
【０００５】
利用者は、扇風機を収納する際には、扇風機を分解し、該分解した部品ごとに凹部に載置して、上記シート材で密封して扇風機を収納することができる。  
上記構成を採る梱包装置により、ごみや埃等から確実に扇風機を収納することができる。
【０００６】
しかし、上記梱包装置は、いちいち収納する際に扇風機を所定の構成部品ごとに分解したり、使用する際に扇風機を組み立てたりする必要を要し手間を要する。  
さらに、メーカーにより外形形態やサイズ等も異なるため、発砲スチロールの凹部と構成部品との間に隙間が生じて完全に保護できない場合や、構成部品が凹部に収まらない場合も生じる。
【０００７】
【特許文献１】特開平０８−１１９７５号公報
【発明の開示】
【発明が解決しようとする課題】
【０００８】
そこで本発明では、特に扇風機等の家電機器について、サイズや規格に関わらず確実に埃、湿気等から確実に保護でき、しかも、容易、且つ、コンパクトに収納することができる電気器機用カバーの提供を目的とする。
【課題を解決するための手段】
【０００９】
家庭用の電気機器を収納可能な袋状に形成するとともに、開閉可能な開閉部を備えた電気器機用カバーであって、上端部を正面視湾曲形状に形成し、胴部に、当該カバーと上記電気機器との間隙を除去する胴部間隙除去手段を形成した電気機器用カバーであることを特徴とする。
【００１０】
上記電気機器は、特に扇風機、電気ヒータ、あるいは、空気清浄扇（扇風機タイプの空気清浄機）等の形態を採る電気機器のみならず加湿器、電気ストーブ等も含む。
【００１１】
上記電気機器用カバーの上端部を正面視湾曲形状に形成しているため、例えば扇風機を収納したとき、扇風機の上部に位置する保護網に上端部がぴたりと一致して見栄えよく収納することができる。
【００１２】
また、上記胴部空間除去手段を形成することで、電気器機を収納したとき扇風機の胴部に位置する支柱部の外周部に位置する電気機器と電気機器用カバーとの間隙を除去することができるため、コンパクトに収納することができる。
【００１３】
上記胴部空間除去手段とは、例えば、電気器機を収納した電気機器用カバーの胴部外周部に囲繞して締結可能な紐部材、あるいは、上記胴部外周部沿いに設けた挿通孔と該カバーの外側と内側とを交互に該挿通孔へ挿通しながら胴部外周部を囲む巾着紐部材等を示す。
【００１４】
その他、上記面ファスナ以外にもスライドファスナ、スナップ、フォック等を形成してカバー内の該カバーと電気機器との間隙を除去した状態に維持できるものを示す。
【００１５】
上記電気機器用カバーは、側周部に、前後方向へ伸縮可能なまち部を形成し、上記側周部のうち、左右両側部のまち部を側面視台形形状に形成することができる。  
電気機用カバーに上記まち部を形成することで、電気機器を電気機器用カバーの内部に収納しても、単に袋状のカバー内に収納する場合と比べて形崩れし難くなる。
【００１６】
さらに、扇風機等の電気機器は、一般的に上部の保護網、および頭部よりも、下部に位置する土台部の方が幅広の形態であることから、上記扇風機の形態に対応して上記左右両側部のまち部を側面視台形形状に形成した電気機器用カバーに扇風機等を収納したとき、弛緩が生じず見栄えよく収納することができる。
【００１７】
また、収納状態の前記電気機器が外側から可視可能な透明の窓部を、所定部位に形成することができる。  
上記所定部位とは、窓部を電気器用カバーにおける何れの部位に、何れの大きさに形成してもよく、単数部位、または複数部位に限定しないことを示す。好ましくは、上記電気機器用カバー内に収納したとき、電気器機のラベル表示等が位置するその電気器機を特定することができる部位に透明な窓部を形成するとよい。
【００１８】
すなわち上記窓部を構成すれば、利用者は、電気機器用カバーの外側から一見して所定の電気機器を特定することができる。  
なお、上記透明な窓部とは、有色透明色、無色透明色のどちらであっても構わない。
【００１９】
また、上記電気機器用カバーは、前記開閉部を例えば、スナップ、フォック、面ファスナ等を形成すれば、閉状態に維持することができる。  
好ましくは、前記上端部の前後いずれか一方の側に形成し、上記開閉部の一方の口縁部に一方のスライドファスナを形成し、上記開閉部の他方の口縁部に他方のスライドファスナを形成するとよい。上記スライドファスナを形成すれば、隙間なく係合することができるとともに、一気にスライダで開閉操作することができる。
【発明の効果】
【００２０】
この発明によれば、電気機器用カバーは、上端部を正面視湾曲形状に形成し、上記胴部間隙除去手段を形成することで、扇風機等の電気機器を見栄えよくコンパクトに収納することができるため、扇風機型の電気機器の収納に最適である。  
特にまち部を台形形状に形成すれば、収納したとき上部が弛緩することもないためより見栄えをよくすることができる。
【００２１】
また、電気機用カバーは、扇風機の収納の度に分解したり、使用の度に組み立てたりする必要がないため、出し入れが容易に行うことができる。  
さらに、開閉部をスライドファスナを用いて形成すれば、開閉が容易であり、出し入れに手間を要しない。
【００２２】
電気機器用カバーに収納したとき、全体が隙間なく被覆した状態にできるため、確実に塵や埃から確実に電気機器を保護することができる。
【００２３】
また、電気機器用カバーに窓部を形成すれば、一家に複数台存在する扇風機をそれぞれ電気器機用カバーに収納した場合であっても、窓部を介してカバー内部の電気機器を容易に特定することができる。  
【発明を実施するための最良の形態】
【００２４】
この発明の一実施形態を、以下図面を用いて説明する。  
オフシーズンに不使用となった扇風機を図１に示すごとく形態で収納する扇風機用カバー１０の構成について説明を行う。  
まず図２に示すごとく、上記扇風機用カバー１０は、大別すると、頭部側不織布１１、前側不織布１２、及び左右各側不織布１３、１４（左側不織布１３、及び右側不織布１４）の合計４枚と底部１５ａと背部１５ｂとを１枚ものの背底不織布１５を用いて合計５枚で構成している。なお、上記各不織布は、それぞれを一体としたとき扇風機５１を収納可能な大きさを備えて形成している。  
その他、扇風機用カバー１０は開閉部４２を形成しているが、該開閉部４２を構成する開閉部材４４については、後述詳説する。
【００２５】
以下、上記各不織布ごとの構成について説明を行う。  
上記背底不織布１５については、扇風機５１を上記扇風機用カバー１０に収納したとき、上記背底不織布１５における底部１５ａは、扇風機の基台５２（図５（ａ）参照）に、背部１５ｂは背側に相当する部位に対応する。
【００２６】
また、背底不織布１５における上記底部１５ａと上記背部１５ｂとの境界部に折癖２１を形成し、該底部１５ａにおける前後方向の略中央部にも、折癖２２（タック）を形成している。上記扇風機用カバー１０を構成したとき、上記折癖２２は、扇風機用カバー１０内側に折り込むように谷折りに形成している。  
なお、以下で説明する場合についても特に断らない限り、折癖は同様に谷折りに形成するものとする。  
さらに、背底不織布１５は、背部１５ｂにおける上端部１５ｂｂを半円弧状に形成している。
【００２７】
また、左右各側不織布１３、１４は、正面視台形形状に形成し、該台形形状の下辺の長さは、扇風機５１の基台５２の前後方向の幅を考慮して形成し、上辺は、扇風機５１上部における保護網５３、及び電動機５４の厚み考慮して形成している。上記左右各側不織布１３、１４における幅方向の中央部には、上下方向に折癖２３、２５を形成している。さらに、左右各側不織布１３、１４における下辺の両端側から、扇風機の基台５２と支持部５７（図５（ａ）参照）との結合部に相当する高さまで勾配しながら幅方向の中央部まで折癖２４、２６をそれぞれ形成している。
【００２８】
さらに、上記左右各側不織布１３、１４における幅方向の中央部に形成した上記折癖で谷折りしたときに重合する各面には、一対の面ファスナ３１ａ、３１ｂをそれぞれ添着している。  
具体的には、上記左右各側不織布３１ａ、３１ｂにおける上下方向の中央部で、且つ、折癖２３、２５を隔てた一方側には、一方の面ファスナ３１ａを添着し、折癖２３、２５を隔てた他方の側には、他方の面ファスナ３１ｂを添着している。
【００２９】
また、上記頭部側不織布１１は、矩形に形成しているが、長辺１１の長さは、背底不織布１５の背部上端部１５ｂｂを上記半円弧状に形成した弧長と略等しく形成し、短辺２２の長さは、上記左右各側不織布１３、１４の上辺よりやや短い長さに形成している。  
さらに上記頭部側不織布１１は、上述した他の不織布と同様に幅方向の中央部に折癖２７を形成している。
【００３０】
最後に、上記前側不織布１２は、上記背底側不織布１５の背部１５ｂと略同じ外形形状に形成している。さらに、上記前側不織布１２における上部中央部には、人頭相当の大きさをした窓部４１を形成している。  
上記窓部４１は、略円形で無色透明色をした合成樹脂部材で形成している。上記窓部４１の上記前側不織布１２への取り付けについて説明を行う。  
まず、該前側不織布１２における該窓部４１を形成した部位は、該窓部４１に相当する形状に予め切り取られている。さらに、上記合成樹脂部材を前側不織布１２の裏面側から上記切り取られた部位に位置させて、前側不織布１２における切り取り部の外周縁部と窓部４１の外周縁部とが対向する箇所を重合する（図示せず）。
【００３１】
さらに、前側不織布１２における重合箇所に対応する部位の表面側から別途、窓枠形状をした合成樹脂部材を重合させ、前側不織布１２の重合箇所を表裏両側から合成樹脂部材で挟み込むような形態とし、熱板で表裏両側から前側不織布１２の重合箇所を押圧して合成樹脂部材を熱溶着している（図示せず）。
【００３２】
上記構成により各不織布は、形成している。そして、図３、図４に示すごとく各不織布を一体として、上記扇風機用カバー１０を形成している。  
但し、上記扇風機用カバー１０は、上記各不織布どおしの結合部を逢着して一体に形成している。なお、上記逢着した部位には、ステッチを形成して逢着している。さらに、前側不織布１２と頭部側織布１１との逢着部、及び、前側不織布１２と左側不織布１３との逢着部には、当該扇風機用カバー１０の開閉部４２を形成している。  
具体的には、スライダ４３ａ、４３ｂを２つ形成したスライドファスナ４３（図４（ｂ）の一部拡大図参照）を長手方向に逢着して開閉可能とした帯状の開閉部材４４を形成し、該開閉部材４４を上記開閉部４２に対応する部位に沿って逢着している。
【００３３】
次に、上記構成を採る上記扇風機用カバー１０に、オフシーズンにより不使用となった扇風機５１を収納する手順について説明を行う。  
まず、利用者は、図５（ａ）に示すごとく、コンパクトに折り畳んだ状態の上記扇風機用カバー１０を拡げて、スライダ４３ａ、４３ｂを摺動させて開閉部４２を開口し、扇風機５１を基台５２の側から先に扇風機用カバー１０内に収納する。さらに、利用者は、図５（ｂ）に示すごとく、扇風機５１を起立させて上記扇風機用カバー１０の頭部側不織布１１を扇風機５１の保護網５３上部に被覆させる。
【００３４】
ここで、上記開閉部４２は、扇風機５１を扇風機用カバー１０から出し入れする上で充分に開口可能な大きさを備えているため、利用者は、容易に扇風機５１を上記扇風機用カバー１０内に収納することができる。さらに、左右各側不織布１３、１４は、台形形状としているが、このような形状とすることで、扇風機５１の基台５２が頭部（保護網５３）と比較して大きいという形状のものを収納する上で適しているため、収納し易いとともに、収納後の見栄えも良好となる。
【００３５】
また、例えば、前側不織布１２の裏面における下部にリモコン収納袋４５を形成してもよい。  
これにより、利用者は、乾電池を抜いた状態のリモコン４５ａと、該乾電池（図示せず）をともにリモコン収納袋４５に収納しておけば、リモコン４５ａ等を紛失したり、破損したりしてしまうことがなく、安心である。
【００３６】
そして、開閉部４２（スライドファスナ４３）をスライダ４３ａ、４３ｂで閉口すると、扇風機収納用カバー１０は、上述した図３のような状態となり、該スライドファスナ４３は、略隙間なく開閉部４２を閉口することができる。よって、扇風機用カバー１０は、長期間経過しても、塵、埃が付着することがなく、扇風機５１を封入することができ、収納時の清潔な状態を維持することができる（図１参照）。  
なお、スライドファスナ４３には、スライダ４３ａ、４３ｂが２つ形成しているため、利用者は、開口した状態の開閉部４２をいずれの端部側からであっても、スライダ４３ａ、又は４３ｂを把持して容易に閉口操作することができる。
【００３７】
また、図３、図４（ｂ）、（ｃ）（ｄ）に示すごとく、上記左右各側不織布１３、１４、および、頭部側不織布１１は、構造上、扇風機用カバー１０のまち部に相当する。すなわち、扇風機用カバー１０は、不使用時には、まち部１１、１３、１４に形成した折癖２３、２５、２７を折り込めば、まち部１１、１３、１４が収縮した状態で扇風機用カバー１０を収納することができ、使用時には、まち部１１、１３、１４の厚み分だけ膨出させて使用することができる。
【００３８】
そして、扇風機５１の構造上、扇風機５１の上下方向の中央部においては、スライドパイプ５６と支持部５７の棒状の部材しか存在しないため、一旦、扇風機５１を収納してしまえば、扇風機用カバー１０の上下方向の中央部（胴部）については、上記左右各側不織布１３、１４の折癖２３、２５、２７を扇風機用カバー１０内側に十分に折り込むことができる。
【００３９】
そして、折り込んだときにまち部１３、１４どおしが対向する箇所に添着した上記一対の面ファスナ３１ａ、３１ｂを係合する。これにより、上記扇風機用カバー１０は、上下方向の中央部におけるまち部１３、１４が不当に弛緩することを防ぐことができるため、扇風機５１の形態に合わせて見栄えよく収納することができる。
【００４０】
上述した手順により、利用者は、扇風機用カバー１０に扇風機５１を収納することができる。そして、新たに使用シーズンが到来すれば、開閉部４２を開口して、上述と逆の手順によって、扇風機５１を扇風機用カバー１０から取り出すだけですぐに使用することができる。
【００４１】
さらに、扇風機用カバー１０には、上述したとおり窓部４１を形成し、該窓部４１が通常、扇風機５１の保護網５３の正面視中央部に形成しているラベル５８（図５（ａ）参照）の位置に対応している。このため、例えば、家庭内に２、３台同形の扇風機５１、あるいは電気ヒータ等が存在する場合、それぞれを各自、扇風機用カバー１０に収納して保管しておいても、探しているものを容易に特定することができる。
【００４２】
加えて、利用者は、扇風機用カバー１０から扇風機を出し入れする度に、該扇風機５１をいちいち分解したり、組み立てたりする必要がない。  
なお、扇風機５１を取り出した後の扇風機用カバー１０は、不使用となるが、折り畳んでおけばそれ自体場所をとらない。
【００４３】
また、他の実施形態の扇風機用カバー６０として、まち部１３、１４には、上記面ファスナ３１ａ、３１ｂを添着するのではなく、図６（ａ）に示すごとく、一対のスナップ６１ａ、６１ｂを添着してもよい。  
さらに、他の実施形態の扇風機用カバー７０として、胴部外周部を巾着紐７１で包囲して調節部材７２で弛緩可能に形成すれば、利用者は、任意に調節部材７２で巾着紐３３を緊締してまち部１３、１４の弛緩具合を調節することができる。
【００４４】
その他、扇風機用カバー１０の胴部を間隙を除去する手段として、スライドファスナ、フォック、通常の紐部材、弾性紐部材、これらの手段を組み合わせたもの等、まち部を固定して弛緩を防ぐことが可能な部材であればよい。もちろん、開閉部４２もスライドファスナ４３に限らず、開閉可能であれば上述した手段を用いて形成してもよい。
【００４５】
上述の実施形態と、この発明の構成との対応において、この実施形態の扇風機用カバー１０は、この発明の電気機器用カバーに対応し、以下同様に、一対の面ファスナ３１ａ、３１ｂ、又はスナップ６１ａ、６１ｂ、又は巾着紐７１は、胴部間隙除去手段に対応し、扇風機５１は電気機器するも、この発明は、上述の実施形態の構成のみに限定されるものではなく、多くの実施の形態を得ることができる。
【図面の簡単な説明】
【００４６】
【図１】本発明の電気機器用カバーの使用状態を表す外観図。
【図２】本発明の電気機器用カバーの各部の構成を表す説明図。
【図３】本発明の電気機器用カバーの他の使用状態を表す外観図。
【図４】図３の電気機器用カバーの正面図（ａ）、図３の電気機器用カバーの右側面図（ｂ）、図３の電気機器用カバーの左側面図（ｃ）、図３の電気機器用カバーの平面図（ｄ）。
【図５】本発明の電気機器用カバーの使用前の状態と扇風機とを表す外観図（ａ）、本発明の電気機器用カバーで扇風機を収納する過程を表す外観図（ｂ）。
【図６】本発明の他の電気機器用カバーの使用状態を表す外観図（ａ）、本発明のさらに他の電気機器用カバーの使用状態を表す外観図（ｂ）。
【符号の説明】
【００４７】
１０、６０、７０…扇風機カバー
４１…窓部
４２…開閉部
【図１】
2005104511.tif 000003
【図２】
2005104511.tif 000004
【図３】
2005104511.tif 000005
【図４】
2005104511.tif 000006
【図５】
2005104511.tif 000007
【図６】
2005104511.tif 000008